(57)【要約】【課題】トラックジャンプないし再生トラックへの引き込みを確実に行うことができる光ディスク再生方法を提供する。【解決手段】光ディスク装着時にＯＦＴ感度調整を行うだけでなく（ステップＳ１０２）、再生トラックへの引き込みが開始されると（ステップＳ１０３）、そのトラックジャンプ処理時においてもＯＦＴ信号を基にスライスレベルを求めて、ＯＦＴ感度を調整する（ステップＳ１０４）。【選択図】図１
2007122825.tif 000002
【特許請求の範囲】
【請求項１】
光スポットがトラックを横断して再生トラック上へ移動するトラックジャンプ処理中に、再生信号を生成し該再生信号を任意のスライスレベルでスライスしてオフトラック信号を生成し、該オフトラック信号を基に光スポットの現在位置を検知してトラッキングサーボ処理のオンタイミングを決定することで光スポットを再生トラックへ引き込む光ディスク再生方法において、トラックジャンプ処理中に生成されるオフトラック信号をサンプリングし、そのサンプリング値を基にスライスレベルの更新値を求めることを特徴とする光ディスク再生方法。
【請求項２】
現在のスライスレベルから更新可能なレベル範囲を予め定めておくことを特徴とする請求項１記載の光ディスク再生方法。
【請求項３】
トラックジャンプにより光スポットが横断するトラックの本数が予め定められた本数以上の場合にスライスレベルの更新値を求めることを特徴とする請求項１もしくは２のいずれかに記載の光ディスク再生方法。
【請求項４】
光スポットが横断したトラックの本数が予め設定した下限値を越えるとオフトラック信号のサンプリングを開始し、予め設定した上限値を越えるとサンプリングを終了することを特徴とする請求項１ないし３のいずれかに記載の光ディスク再生方法。
【請求項５】
トラックジャンプ処理中にトラッキングエラー信号を生成してその周波数を検出し、検出した周波数が予め定められた範囲内にあるとき、オフトラック信号のサンプリングを行うことを特徴とする請求項１ないし４のいずれかに記載の光ディスク再生方法。
【請求項６】
光ディスクの回転速度の変更が指示された後、トラックジャンプ処理が発生した場合に、スライスレベルの更新値を求めることを特徴とする請求項１ないし５のいずれかに記載の光ディスク再生方法。
【請求項７】
複数のセッションが記録された光ディスクの再生時に、セッションの変更が指示され、トラックジャンプ処理が発生した場合に、スライスレベルの更新値を求めることを特徴とする請求項１ないし６のいずれかに記載の光ディスク再生方法。
【請求項８】
複数のデータが記録された光ディスクの再生時に、再生するデータが指示され、トラックジャンプ処理が発生した場合に、スライスレベルの更新値を求めることを特徴とする請求項１ないし７のいずれかに記載の光ディスク再生方法。
【発明の詳細な説明】
【技術分野】
【０００１】
本発明は、光スポットがトラックを横断して再生トラック上へ移動するトラックジャンプ処理中にオフトラック信号を生成し、該オフトラック信号を基に光スポットの現在位置を検知してトラッキングサーボ処理のオンタイミングを決定することで光スポットを再生トラックへ引き込む光ディスク再生方法に関する。
【背景技術】
【０００２】
従来、ＣＤプレーヤ等の光ディスク装置においては、例えば曲飛ばし等の処理を行うときに、目標位置を設定することにより、外乱が加わっても安定したトラックジャンプ処理ができるようにしていた（例えば、特許文献１参照。）。しかし、この従来の方法では、目標位置を設定するのみであり、光スポットが再生トラック上に到達したことの確認を行わないため、確実に光スポットを再生トラックへ引き込むことができなかった。
【０００３】
そこで近年、トラックジャンプ処理時にオフトラック信号を生成し、該オフトラック信号を基に光スポットの現在位置を把握してトラッキングサーボ処理のオンタイミングを決定することで、再生トラックへの引き込みが確実に行われるようにする手法が提案されている。以下、従来の光ディスク装置について、トラックジャンプ処理を中心に説明する。
【０００４】
図９は従来の光ディスク装置の概略ブロック図である。
図９において、１は光ディスクを示す。光ディスク１の情報記録面にはデータが記録されている。データは、情報記録面のトラック内にピットを形成することで記録される。
【０００５】
２はスピンドルモータを示す。スピンドルモータ２は光ディスク１を回転させる。３は光ピックアップを示す。光ピックアップ３は、回転している光ディスク１の情報記録面に対してレーザ光を集光照射して光スポットを形成し、その反射光を受光することによってデータを読み取る。
【０００６】
４は信号生成手段を示す。信号生成手段４は、光ピックアップ３の出力信号からトラッキングエラー信号（以下、ＴＥ信号と称す。）や、再生ＲＦ信号、オフトラック信号（以下、ＯＦＴ信号と称す。）等を生成する。ＴＥ信号は、光スポットの中心のトラックの中心からのずれ量を表す信号であり、例えば電圧値として生成したり、デジタルの多値で生成したりする。
【０００７】
また、ＯＦＴ信号は、再生ＲＦ信号を所定のスライスレベルでスライスして（２値化して）生成する信号であり、トラックジャンプ処理時に生成され、再生ＲＦ信号がトラックからの反射光に基づく信号であるか否かによって状態が変化する。例えば、光スポットがトラック上にあるとき（オントラック時）には信号レベルが“Ｌ”レベルとなり、トラック上にないとき（オフトラック時）には“Ｈ”レベルとなるように生成する。このようにＯＦＴ信号を生成することにより、トラックジャンプ処理時に光スポットが横断したトラックの本数を確認することができる。スライスレベルは、再生ＲＦ信号を電圧値で生成する場合には電圧値によって設定し、デジタルの多値で生成する場合には、デジタルの多値によって設定する。
【０００８】
５はサーボ制御手段を示す。サーボ制御手段５はスピンドルモータ２の回転動作を制御するための回転制御信号を生成する。また、信号生成手段４からのＴＥ信号やＯＦＴ信号等を演算してトラッキング制御信号等を生成する。トラッキング制御信号は、ＴＥ信号を基に光スポットの中心のトラックの中心点への戻り量を演算することによって生成される。
【０００９】
また、サーボ制御手段５は、ＯＦＴ信号を基に光スポットの現在位置を把握して、光ピックアップ３を再生トラック上へ移動させる水平移動制御信号を生成する。この水平移動制御信号によって光ピックアップ３は水平移動し、光スポットが再生トラック上へ移動する。
【００１０】
６はドライブ信号出力手段を示す。ドライブ信号出力手段６はサーボ制御手段５からのトラッキング制御信号等を増幅してトラッキングドライブ信号等を生成し、光ピックアップ３へ出力する。
【００１１】
トラッキングドライブ信号は、光ピックアップ３内の対物レンズを水平方向に動作させるための駆動信号であり、トラッキング制御信号を基に生成される。光ピックアップ３内の対物レンズを水平方向に動作させるアクチュエータはこのトラッキングドライブ信号に応じて駆動し、光スポットの中心をトラックの中心に位置させる。このように、光ディスク装置は、光ディスクの情報記録面に記録されているデータを正確に読み取るために、所定の大きさの光スポットの中心をトラックの中央に位置させるトラッキングサーボ処理を実行している。
【００１２】
また、ドライブ信号出力手段６は、水平移動制御信号を基に光ピックアップ３を水平移動させるための駆動信号を生成し、光ピックアップ３を水平方向へ移動させるモータ（図示せず）へ出力する。また、回転制御信号を基にスピンドルモータ２を駆動するための駆動信号を生成し、光ディスク１を回転させる。
【００１３】
７はＯＦＴ感度調整手段を示す。ＯＦＴ感度調整手段７は、信号生成手段４がＯＦＴ信号を生成するに際して使用するスライスレベルを調整する。信号生成手段４は、ＯＦＴ感度調整手段７によって設定されたスライスレベルを用いてＯＦＴ信号を生成する。
【００１４】
当該光ディスク装置は、光ディスク１の情報記録面に対しレーザ光を集光照射して光スポットを形成し、その反射光に基づいて光ディスク１に記録されているデータを再生する。また、トラックジャンプ中はトラッキングサーボをオフにし、ＯＦＴ信号を生成して光スポットの現在位置を検知し、光スポットが再生トラック上へ移動したタイミングでトラッキングサーボ処理をオンすることで、光スポットを再生トラックへ引き込む。
【００１５】
図１０は、スライスレベルが最適値となっている状態でトラックジャンプ処理を実行した場合のＴＥ信号とＯＦＴ信号の関係を表す図である。図１０において、１１はＴＥ信号、１２はオントラック点、１３はＯＦＴ信号を示す。光スポットが複数のトラックを横断して移動すると、図１０に示すようにＴＥ信号１１は正弦波で出力され、光スポットの中心がトラックの中心に位置する場合にゼロクロス（オントラック点１２）となり、中心からずれることにより正または負となる。そして、光スポットが完全にトラック間に位置する場合にも、ゼロクロスとなる。また、ＯＦＴ信号１３の信号レベルは、スライスレベルが最適値となっている状態では、オントラックの間“Ｌ”レベルとなり、オフトラックの間“Ｈ”レベルとなる。
【００１６】
続いて、図１１を用いて、スライスレベルとＯＦＴ信号の関係について説明する。図１１において、２１は再生ＲＦ信号を示す。また、２２ＡはＯＦＴ感度が小のときのスライスレベルを示し、２２ＢはＯＦＴ感度が小の場合に生成されるＯＦＴ信号を示す。同様に、２３ＡはＯＦＴ感度が中のときのスライスレベル、２４ＡはＯＦＴ感度が大のときのスライスレベルを示し、２３Ｂと２４ＢはそれぞれＯＦＴ感度が中の場合と大の場合に生成されるＯＦＴ信号を示す。
【００１７】
図１１に示すように、ＯＦＴ感度が小の場合、スライスレベルが適切でなく、ＯＦＴ信号の信号レベルが“Ｈ”レベルとなる時間幅（Ｈ区間）が狭くなる。よって、スライスレベルが適切でないとＯＦＴ信号が立ちづらくなり、ＯＦＴ信号の検出感度が低下し、再生トラックへの引き込みが困難となる。そこで、従来の光ディスク装置では、光ディスクが装着されると、再生前にＯＦＴ感度を調整していた。
【００１８】
図１２は、従来のＯＦＴ感度調整の手順を示す。従来の光ディスク装置は、光ディスク１が装着されると、まず光ディスク１を回転させ（ステップＳ１２０１）、再生開始までの間に、ＯＦＴ感度調整手段７が、信号生成手段４により生成されるＯＦＴ信号を基に最適なスライスレベルを求めて、信号生成手段４に設定した後（ステップＳ１２０２）、光スポットを再生トラックへ引き込み（ステップＳ１２０３）、再生を行う（ステップＳ１２０４）。このように、従来は、光ディスクが装着されるごとにＯＦＴ感度調整を行っていた。
【００１９】
続いて、従来のＯＦＴ感度調整について図１３を用いて説明する。図１３において、３１は光ピックアップをトラックを横切る一方向に振ったときに出力されるＴＥ信号を示す。また、３２はＯＦＴ信号、３３は光ピックアップを水平移動させるための駆動信号、３４はＯＦＴ信号を取り込む区間を示す。
【００２０】
最適なＯＦＴ感度を設定するためには、現在のスライスレベルが最適値に対してどの程度ずれているのかを求める必要がある。そこで、従来は、ＯＦＴ信号の信号レベルが“Ｌ”レベルの区間（Ｌ区間）と“Ｈ”レベルの区間（Ｈ区間）の長さの比（ＯＦＴ信号のＬ区間／Ｈ区間の比率）を求めて、この算出した比率と事前に検証しておいた最適な比率との差分を算出し、その結果より最適なスライスレベルを求めて信号生成手段４に設定していた。
【００２１】
すなわち、サーボ制御手段５がドライブ信号出力手段６に対して一定期間、トラックを横切る一方向に一定速度で光ピックアップ３を移動させるための水平移動制御信号を出力して、ドライブ信号出力手段６から図１３に示す駆動信号３３を出力させ、加速と減速を繰り返すことで光ピックアップ３を一方向に一定速度で水平移動させる。
【００２２】
光ピックアップ３が水平移動している間、信号生成手段４が、光ピックアップ３からの信号を基に図１３に示すＯＦＴ信号３２を生成し、ＯＦＴ感度調整手段７が区間３４においてＯＦＴ信号３２を一定時間間隔毎にサンプリングし、サンプリング値が“Ｌ”を示す数と“Ｈ”を示す数をカウントすることによりそれぞれの長さを求め、Ｌ区間とＨ区間の長さの比（ＯＦＴ信号のＬ区間／Ｈ区間の比率）を算出し、この算出値と最適値との差分を算出し、その結果より最適なスライスレベルを求めて信号生成手段４に設定する。
【００２３】
従来の光ディスク装置は、このように光ディスクごとにＯＦＴ感度を調整することにより、正常なＯＦＴ信号を出力し、正常なトラックジャンプないし再生トラックへの引き込みを可能としていた。
【００２４】
しかしながら、上記従来の光ディスク装置では、光ディスクが装着されると再生前に一定期間、トラックを横切る一方向に一定速度で光ピックアップ３を移動させることでＯＦＴ感度を調整し、再生時には、固定されたスライスレベルによってＯＦＴ信号を生成していた。そのため、同じ光ディスクであっても、例えば、経年劣化等により内周側と外周側で再生ＲＦ信号の最高電位や再生ＲＦ信号のトラックジャンプ時の波形（凹み具合）が異なったり、セッションごとの記録環境が異なることによりセッションによって再生ＲＦ信号の最高電位や再生ＲＦ信号のトラックジャンプ時の波形（凹み具合）が異なるような場合、再生トラックの位置によっては、ＯＦＴ信号の検出感度が低下し、光スポットの位置を誤判断して、正確に再生トラックへの引き込みができないという問題を有していた。
【００２５】
また、一般に回転速度（再生速度）が上がると反射率が落ちるため、回転速度によって再生ＲＦ信号の最高電位が異なる。そのため、従来の光ディスク装置では、同じ光ディスクであっても回転速度によってはＯＦＴ信号の検出感度が低下し、光スポットの位置を誤判断して、正確に再生トラックへの引き込みができないという問題を有していた。
【００２６】
図１４はスライスレベルが一定で、かつ再生ＲＦ信号の最高電位が異なる場合の再生ＲＦ信号とＯＦＴ信号の関係を表す図である。図１４において、４１はＯＦＴ感度が最適な状態での再生ＲＦ信号、４２はＯＦＴ感度が低い状態での再生ＲＦ信号、４３はスライスレベル、４４はＯＦＴ信号を示している。図１４に示すように、スライスレベルが不適切な場合、ＯＦＴ信号の信号レベルが“Ｈ”レベルになりにくくなる。
【００２７】
図１５は、ＯＦＴ感度が小の状態でトラックジャンプ処理を実行した場合のＴＥ信号とＯＦＴ信号の関係を表す図である。図１５において、１１はＴＥ信号、１２はオントラック点、１３はＯＦＴ信号を示す。このＯＦＴ感度では、スライスレベルが不適切であるためにＯＦＴ信号が立ちづらくなっており、そのため正常なトラックジャンプないし再生トラックへの引き込みが困難となる。
【特許文献１】特開平６−２４３４８３号公報
【発明の開示】
【発明が解決しようとする課題】
【００２８】
本発明は、上記問題点に鑑み、光ディスクの装着時だけではなく、トラックジャンプ処理時においてもＯＦＴ信号を基にスライスレベルを求めることにより、トラックジャンプないし再生トラックへの引き込みをより確実に行うことができる光ディスク再生方法を提供することを目的とする。
【課題を解決するための手段】
【００２９】
本発明の請求項１記載の光ディスク再生方法は、光スポットがトラックを横断して再生トラック上へ移動するトラックジャンプ処理中に、再生信号を生成し該再生信号を任意のスライスレベルでスライスしてオフトラック信号を生成し、該オフトラック信号を基に光スポットの現在位置を検知してトラッキングサーボ処理のオンタイミングを決定することで光スポットを再生トラックへ引き込む光ディスク再生方法において、トラックジャンプ処理中に生成されるオフトラック信号をサンプリングし、そのサンプリング値を基にスライスレベルの更新値を求めることを特徴とする。
【００３０】
また、本発明の請求項２記載の光ディスク再生方法は、請求項１記載の光ディスク再生方法であって、現在のスライスレベルから更新可能なレベル範囲を予め定めておくことを特徴とする。
【００３１】
また、本発明の請求項３記載の光ディスク再生方法は、請求項１もしくは２のいずれかに記載の光ディスク再生方法であって、トラックジャンプにより光スポットが横断するトラックの本数が予め定められた本数以上の場合にスライスレベルの更新値を求めることを特徴とする。
【００３２】
また、本発明の請求項４記載の光ディスク再生方法は、請求項１ないし３のいずれかに記載の光ディスク再生方法であって、光スポットが横断したトラックの本数が予め設定した下限値を越えるとオフトラック信号のサンプリングを開始し、予め設定した上限値を越えるとサンプリングを終了することを特徴とする。
【００３３】
また、本発明の請求項５記載の光ディスク再生方法は、請求項１ないし４のいずれかに記載の光ディスク再生方法であって、トラックジャンプ処理中にトラッキングエラー信号を生成してその周波数を検出し、検出した周波数が予め定められた範囲内にあるとき、オフトラック信号のサンプリングを行うことを特徴とする。
【００３４】
また、本発明の請求項６記載の光ディスク再生方法は、請求項１ないし５のいずれかに記載の光ディスク再生方法であって、光ディスクの回転速度の変更が指示された後、トラックジャンプ処理が発生した場合に、スライスレベルの更新値を求めることを特徴とする。
【００３５】
また、本発明の請求項７記載の光ディスク再生方法は、請求項１ないし６のいずれかに記載の光ディスク再生方法であって、複数のセッションが記録された光ディスクの再生時に、セッションの変更が指示され、トラックジャンプ処理が発生した場合に、スライスレベルの更新値を求めることを特徴とする。
【００３６】
また、本発明の請求項８記載の光ディスク再生方法は、請求項１ないし７のいずれかに記載の光ディスク再生方法であって、複数のデータが記録された光ディスクの再生時に、再生するデータが指示され、トラックジャンプ処理が発生した場合に、スライスレベルの更新値を求めることを特徴とする。
【発明の効果】
【００３７】
本発明によれば、例えば、経年劣化等により内周側と外周側で再生ＲＦ信号の最高電位や再生ＲＦ信号のトラックジャンプ時の波形（凹み具合）が異なったり、セッションごとの記録環境が異なることによりセッションによって再生ＲＦ信号の最高電位や再生ＲＦ信号のトラックジャンプ時の波形（凹み具合）が異なるような光ディスクを再生する場合であっても、また、回転速度（再生速度）を変更して再生を行う場合であっても、トラックジャンプないし再生トラックへの引き込みをより確実に行うことができるようになる。
【００３８】
また、現在のスライスレベルから変更可能なレベル範囲を定めることにより、スライスレベルの誤設定（ＯＦＴ感度の誤調整）を軽減することができる。また、横断するトラックの本数が予め定めた本数以上の場合にのみスライスレベルの更新値を求めることにより、十分なサンプル数を確保することができ、スライスレベルの誤設定を軽減することができる。
【００３９】
また、光スポットが横断したトラックの本数が予め設定した下限値を越えてから上限値に達するまでの間においてサンプリングを行うことにより、光ピックアップの加速時と減速時にはサンプリングを行わず、水平移動速度が一定な状態においてサンプリングを行うことができ、スライスレベルの誤設定を軽減することができる。
【００４０】
また、ＴＥ信号の周波数が予め定めた範囲内にあるときにサンプリングを行うことにより、光ピックアップの水平移動速度が一定な状態においてサンプリングを行うことができ、スライスレベルの誤設定を軽減することができる。
【発明を実施するための最良の形態】
【００４１】
以下、図９に示す光ディスク装置を例に、本実施の形態における光ディスク再生方法について説明する。但し、図９ないし図１５に基づいて説明した事項については、詳細な説明を省略する。
【００４２】
（実施の形態１）
図１に、本実施の形態１における光ディスク装置の動作の一例を示す。
本実施の形態１では、光ディスク１が装着されると、図１２に基づいて説明したように、まず光ディスク１を回転させ（ステップＳ１０１）、再生開始までの間に、ＯＦＴ感度調整手段７が、信号生成手段４により生成されるＯＦＴ信号を基に最適なスライスレベルを求めて、信号生成手段４に設定する（ステップＳ１０２）。その後、トラックジャンプ処理が発生し、光スポットの再生トラックへの引き込みが開始されると（ステップＳ１０３）、再度、ＯＦＴ感度調整手段７が、そのトラックジャンプ処理中に生成されるＯＦＴ信号を基に最適なスライスレベル（スライスレベルの更新値）を求めて、信号生成手段４に設定し、ＯＦＴ感度を変更する（ステップＳ１０４）。
【００４３】
なお、トラックジャンプ処理時に行うＯＦＴ感度調整処理は、光ディスクの装着時に実施するＯＦＴ感度調整処理と同様の処理であり、トラックジャンプ処理中に生成されるＯＦＴ信号を基に、ＯＦＴ信号のＬ区間／Ｈ区間の比率を算出し、事前に検証しておいた最適な比率との差分を算出し、その結果より最適なスライスレベルを求める。
【００４４】
このように本実施の形態１によれば、トラックジャンプ処理を行う際にもＯＦＴ感度調整を実施し、最適なＯＦＴ感度に設定することができる。これにより、光ディスクの装着時に調整したＯＦＴ感度と同一のＯＦＴ感度ではＯＦＴ信号の検出感度が低下するような場合（例えば、経年劣化等により内周側と外周側で再生ＲＦ信号の最高電位や再生ＲＦ信号のトラックジャンプ時の波形（凹み具合）が異なったり、セッションごとの記録環境が異なることによりセッションによって再生ＲＦ信号の最高電位や再生ＲＦ信号のトラックジャンプ時の波形（凹み具合）が異なるような光ディスクを再生する場合や、回転速度（再生速度）を変更して再生を行う場合）であっても、正常なＯＦＴ信号を出力し、正常なサーチ動作やトラックジャンプ処理が可能となる。
【００４５】
（実施の形態２）
図２に、本実施の形態２における光ディスク装置の動作の一例を示す。但し、図１に基づいて説明した処理と同一の処理には同一符号を付して、説明を省略する。
【００４６】
本実施の形態２では、光ディスク１が装着されると、実施の形態１と同様に、まず光ディスク１を回転させ、再生開始までの間に最適なスライスレベルを求めて信号生成手段４に設定する（ステップＳ１０１、Ｓ１０２）。
【００４７】
その後、トラックジャンプ処理が発生し、光スポットの再生トラックへの引き込みが開始されると（ステップＳ１０３）、実施の形態１と同様に、そのトラックジャンプ処理中に生成されるＯＦＴ信号を基に最適なスライスレベルを求めるＯＦＴ感度調整処理を開始する（ステップＳ２０１）。そして、ＯＦＴ感度調整手段７は、求めたスライスレベルの更新値が現在の設定値から所定の範囲内に収まるか否かを判定して（ステップＳ２０２）、収まる場合には、求めたスライスレベルを信号生成手段４に設定し、ＯＦＴ感度を変更する（ステップＳ２０３）。収まらない場合には、その所定の範囲内で設定するか若しくはスライスレベルの変更を行わない（ステップＳ２０４）。
【００４８】
このように本実施の形態２では、トラックジャンプ処理時に行うＯＦＴ感度調整において、現在の設定値から更新可能なレベル範囲を予め定めている点に特徴がある。例えば、ＯＦＴ感度調整手段７においてスライスレベルを所定のレベル幅で１０段階変更できる場合、トラックジャンプ処理時に行うＯＦＴ感度調整においては、現在の設定値から±２段階以内の変更のみを認め、それ以上の変更が必要であると判断できる場合は±２段階以内での変更か若しくは変更しないようにする。これにより、大きなＯＦＴ感度の誤調整を防ぐことが可能となる。
【００４９】
（実施の形態３）
図３に、本実施の形態３における光ディスク装置の動作の一例を示す。但し、図１に基づいて説明した処理と同一の処理には同一符号を付して、説明を省略する。
【００５０】
本実施の形態３では、光ディスク１が装着されると、実施の形態１と同様に、まず光ディスク１を回転させ、再生開始までの間に最適なスライスレベルを求めて信号生成手段４に設定する（ステップＳ１０１、Ｓ１０２）。
【００５１】
その後、トラックジャンプ処理が発生し、光スポットの再生トラックへの引き込みが開始されると（ステップＳ１０３）、ＯＦＴ感度調整手段７は、再生トラックへ移動するまでに光スポットが横断するトラックの本数が所定の本数（例えば３０本）以上か否かを判定し（ステップＳ３０１）、所定の本数以上の場合にのみＯＦＴ感度調整を行う（ステップＳ１０４）。
【００５２】
このように本実施の形態３によれば、トラックジャンプ処理時に横断するトラックの本数が予め定められた本数以上の場合にのみＯＦＴ感度調整を実施することにより、ＯＦＴ感度調整において十分なサンプル数を確保することができ、ＯＦＴ感度の誤調整を軽減することが可能となる。
【００５３】
（実施の形態４）
図４に、本実施の形態４における光ディスク装置の動作の一例を示す。但し、図１に基づいて説明した処理と同一の処理には同一符号を付して、説明を省略する。
【００５４】
本実施の形態４では、光ディスク１が装着されると、実施の形態１と同様に、まず光ディスク１を回転させ、再生開始までの間に最適なスライスレベルを求めて信号生成手段４に設定する（ステップＳ１０１、Ｓ１０２）。
【００５５】
その後、トラックジャンプ処理が発生し、光スポットの再生トラックへの引き込みが開始されると（ステップＳ１０３）、例えば、このトラックジャンプ処理において光スポットが横断するトラックの本数がＮ本の場合、ＯＦＴ感度調整手段７は、横断したトラックの本数がＮ×０．２本（２０％）に達したか否かを判定し（ステップＳ４０１）、２０％横断した時点からＯＦＴ信号のサンプリングを開始して、ＯＦＴ信号のＬ区間／Ｈ区間の比率の算出を開始する（ステップＳ４０２）。そして、横断したトラックの本数がＮ×０．８本（８０％）に達したか否かを判定し（ステップＳ４０３）、８０％横断した時点でサンプリングを終了して、ＯＦＴ信号のＬ区間／Ｈ区間の比率の算出を終了し（ステップＳ４０４）、その算出結果より最適なスライスレベル（スライスレベルの更新値）を求めて信号生成手段４に設定し、ＯＦＴ感度を変更する（ステップＳ４０５）。
【００５６】
このように本実施の形態４によれば、トラックジャンプ処理時に行うＯＦＴ感度調整について、光スポットが横断したトラックの本数が予め設定した下限値（例えば、トラックの横断本数がＮ本の場合には、Ｎ×０．２本）を越えてから上限値（例えば、Ｎ×０．８本）に達するまでの間にＯＦＴ信号のサンプリングを行うことにより、光ピックアップの加速時と減速時にサンプリングを行わないようにし、サンプリング時の光ピックアップがトラックを横断する速度のばらつきを軽減することができ、ＯＦＴ信号のＬ区間／Ｈ区間の比率の算出を正確に行うことができ、ＯＦＴ感度の誤調整を軽減することが可能となる。
【００５７】
（実施の形態５）
図５に、本実施の形態５における光ディスク装置の動作の一例を示す。但し、図１に基づいて説明した処理と同一の処理には同一符号を付して、説明を省略する。
【００５８】
本実施の形態５では、光ディスク１が装着されると、実施の形態１と同様に、まず光ディスク１を回転させ、再生開始までの間に最適なスライスレベルを求めて信号生成手段４に設定する（ステップＳ１０１、Ｓ１０２）。
【００５９】
その後、トラックジャンプ処理が発生し、光スポットの再生トラックへの引き込みが開始されると（ステップＳ１０３）、ＯＦＴ感度調整手段７はトラックジャンプ処理中のＴＥ信号の周波数を検出して、その周波数が所定の範囲内か否かの判定を行う（ステップＳ５０１）。その結果、所定の範囲内ではない場合には、再生トラックへの引き込みが完了したか否かを判定し（ステップＳ５０５）、引き込みが完了していない場合には、ＴＥ信号の周波数の判定を続行する（ステップＳ５０１）。
【００６０】
一方、ＴＥ信号の周波数が所定の範囲内の場合には、ＯＦＴ信号のサンプリングを行い（ステップＳ５０２）、必要なサンプル数を確保したか否かを判定し（ステップＳ５０３）、確保していなければ、再生トラックへの引き込みが完了したか否かを判定し（ステップＳ５０５）、引き込みが完了していない場合には、ＴＥ信号の周波数の判定を続行する（ステップＳ５０１）。そして、必要なサンプル数が確保されると、ＯＦＴ信号のＬ区間／Ｈ区間の比率を算出して最適なスライスレベル（スライスレベルの更新値）を求め、信号生成手段４に設定し、ＯＦＴ感度を変更する（ステップＳ５０４）。
【００６１】
このように本実施の形態５によれば、トラックジャンプ処理中に、ＴＥ信号の周波数が予め定められた所定の範囲内にある場合にのみＯＦＴ信号の一定時間間隔毎のサンプリングを行い、予め定められたサンプル数が揃うと最適なスライスレベルを求め、必要なサンプル数を確保できなければ、ＯＦＴ感度の変更を実施しないことにより、光ピックアップの水平移動速度が一定な状態でＯＦＴ信号のずれを求めることが可能となり、ＯＦＴ感度の誤調整を軽減できる。
【００６２】
（実施の形態６）
図６に、本実施の形態６における光ディスク装置の動作の一例を示す。但し、図１に基づいて説明した処理と同一の処理には同一符号を付して、説明を省略する。
【００６３】
本実施の形態６では、ユーザ操作により光ディスクの回転速度（再生速度）の変更が指示された後、トラックジャンプ処理が発生した場合にＯＦＴ感度の調整を行う。つまり、光ディスク装着時に実施するＯＦＴ感度調整は回転速度を１倍速にして行うが、回転速度を２倍速や４倍速等に上げて再生する場合、１倍速時の再生ＲＦ信号とは最高電位が異なる可能性がある。そこで、ユーザ操作により回転速度の変更が指示された後（ステップＳ６０１）、トラックジャンプ処理が発生して光スポットの再生トラックへの引き込みが開始されると（ステップＳ１０３）、実施の形態１と同様のＯＦＴ感度調整処理を実施する（ステップＳ１０４）。
【００６４】
このように本実施の形態６によれば、同一の光ディスクであっても、回転速度によって再生ＲＦ信号の最高電位が異なり、同じＯＦＴ感度では最適なＯＦＴ信号を生成できなくなる事態を防ぐことが可能となる。
【００６５】
（実施の形態７）
図７に、本実施の形態７における光ディスク装置の動作の一例を示す。但し、図１に基づいて説明した処理と同一の処理には同一符号を付して、説明を省略する。
【００６６】
本実施の形態７では、複数のセッションが記録された光ディスクの再生時に、ユーザ操作により再生するセッションの変更が指示された後、トラックジャンプ処理が発生した場合にＯＦＴ感度の調整を行う。つまり、同一の光ディスクであっても、セッションごとに記録環境が異なると、再生ＲＦ信号の最高電位や再生ＲＦ信号のトラックジャンプ時の波形（凹み具合）がセッションによって異なる可能性がある。そこで、ユーザ操作により再生するセッションの変更が指示された後（ステップＳ７０１）、トラックジャンプ処理が発生して光スポットの再生トラックへの引き込みが開始されると（ステップＳ１０３）、実施の形態１と同様のＯＦＴ感度調整処理を実施する（ステップＳ１０４）。
【００６７】
このように本実施の形態７によれば、同一の光ディスクであっても、セッションごとの記録環境が異なることによりセッションによって再生ＲＦ信号の最高電位や再生ＲＦ信号のトラックジャンプ時の波形が異なり、同じＯＦＴ感度では最適なＯＦＴ信号を生成できなくなる事態を防ぐことが可能となる。
【００６８】
（実施の形態８）
図８に、本実施の形態８における光ディスク装置の動作の一例を示す。但し、図１に基づいて説明した処理と同一の処理には同一符号を付して、説明を省略する。
【００６９】
本実施の形態８では、複数のトラック（このトラックは光ディスクの情報記録面に形成された溝のことではなく、セッションを構成するデータ単位としてのトラックのことである。）が記録された光ディスクの再生時に、ユーザ操作により再生するトラックの変更が指示された後、トラックジャンプ処理が発生した場合にＯＦＴ感度の調整を行う。例えば、１つのセッションのみが記録されている光ディスクであっても、経年劣化等により内周側と外周側で再生ＲＦ信号の最高電位や再生ＲＦ信号のトラックジャンプ時の波形（凹み具合）が異なる可能性がある。そこで、ユーザ操作により再生するトラックの変更が指示された後（ステップＳ８０１）、トラックジャンプ処理が発生して光スポットの再生トラックへの引き込みが開始されると（ステップＳ１０３）、実施の形態１と同様のＯＦＴ感度調整処理を実施する（ステップＳ１０４）。
【００７０】
このように本実施の形態８によれば、同一の光ディスクであっても、例えば経年劣化等により内周側と外周側で再生ＲＦ信号の最高電位や再生ＲＦ信号のトラックジャンプ時の波形が異なり、同じＯＦＴ感度では最適なＯＦＴ信号が生成できなくなる事態を防ぐことが可能となる。
【産業上の利用可能性】
【００７１】
本発明にかかる光ディスク制御方法は、正確なトラックジャンプないし再生トラックへの引き込みが可能となり、光ディスクにおいてサーチ等を実施するための方法として有用である。
【図面の簡単な説明】
【００７２】
【図１】本発明の実施の形態１における光ディスク装置の動作の一例を示すフローチャート図
【図２】本発明の実施の形態２における光ディスク装置の動作の一例を示すフローチャート図
【図３】本発明の実施の形態３における光ディスク装置の動作の一例を示すフローチャート図
【図４】本発明の実施の形態４における光ディスク装置の動作の一例を示すフローチャート図
【図５】本発明の実施の形態５における光ディスク装置の動作の一例を示すフローチャート図
【図６】本発明の実施の形態６における光ディスク装置の動作の一例を示すフローチャート図
【図７】本発明の実施の形態７における光ディスク装置の動作の一例を示すフローチャート図
【図８】本発明の実施の形態８における光ディスク装置の動作の一例を示すフローチャート図
【図９】従来の光ディスク装置の概略ブロック図
【図１０】スライスレベルが最適値となっている状態でトラックジャンプ処理を実行した場合のＴＥ信号とＯＦＴ信号の関係を説明するための図
【図１１】スライスレベルとＯＦＴ信号の関係について説明するための図
【図１２】従来のＯＦＴ感度調整方法の手順を表すフローチャート図
【図１３】従来のＯＦＴ感度調整方法を説明するための図
【図１４】スライスレベルが一定で、かつ再生ＲＦ信号の最高電位が異なる場合の再生ＲＦ信号とＯＦＴ信号の関係を説明するための図
【図１５】ＯＦＴ感度が小の状態でトラックジャンプ処理を実行した場合のＴＥ信号とＯＦＴ信号の関係を説明するための図
【符号の説明】
【００７３】
１      光ディスク
２      スピンドルモータ
３      光ピックアップ
４      信号生成手段
５      サーボ制御手段
６      ドライブ信号出力手段
７      ＯＦＴ感度調整手段
１１      ＴＥ信号
１２      オントラック点
１３      ＯＦＴ信号
２１      再生ＲＦ信号
２２Ａ    ＯＦＴ感度が小の場合のスライスレベル
２２Ｂ    ＯＦＴ感度が小の場合のＯＦＴ信号
２３Ａ    ＯＦＴ感度が中の場合のスライスレベル
２３Ｂ    ＯＦＴ感度が中の場合のＯＦＴ信号
２４Ａ    ＯＦＴ感度が大の場合のスライスレベル
２４Ｂ    ＯＦＴ感度が大の場合のＯＦＴ信号
３１      ＴＥ信号
３２      ＯＦＴ信号
３３      駆動信号
３４      ＯＦＴ信号取り込み区間
４１      再生ＲＦ信号
４２      ＯＦＴ信号が立ちづらい再生ＲＦ信号
４３      スライスレベル
４４      ＯＦＴ信号
【図１】
2007122825.tif 000003
【図２】
2007122825.tif 000004
【図３】
2007122825.tif 000005
【図４】
2007122825.tif 000006
【図５】
2007122825.tif 000007
【図６】
2007122825.tif 000008
【図７】
2007122825.tif 000009
【図８】
2007122825.tif 000010
【図９】
2007122825.tif 000011
【図１０】
2007122825.tif 000012
【図１１】
2007122825.tif 000013
【図１２】
2007122825.tif 000014
【図１３】
2007122825.tif 000015
【図１４】
2007122825.tif 000016
【図１５】
2007122825.tif 000017